(57)【要約】【課題】    対土圧性能が良好で、積層させて保存する際に、保存に必要となる空間スペースを増大させることなく、しかも、施工作業性が良好な雨水流出抑制装置及び該雨水流出抑制装置に用いる側板部材を提供する。【解決手段】  雨水等を一時貯留する貯留部Ｆ内に縦横かつ上下に連設して、貯留空間Ｆを形成する充填部材１１…を有する雨水流出抑制装置１０である。  充填部材１１と上下方向に連結される他の充填部材１１との間には、連結脚部材１２，１２が介在されると共に、連結脚部材１２の側面部１２Ｃには、側板部材１３に設けられた係合突起１３ａ又は係合凹部１３ｂと係合して、側板部材１３を支持する被係合凹部１２ｅ又は被係合突起部１２ｆを有する側板装着部１２ｄが設けられている。【選択図】図１
2006241701.tif 000002
【特許請求の範囲】
【請求項１】
雨水等を一時貯留する貯留部内に充填部材を縦横かつ上下に連設し、該充填部材の外側面部を覆う側板部材を設けて貯留空間を形成した雨水流出抑制装置において、
前記充填部材と上下方向に連結される他の充填部材との間には、連結脚部材が介在されると共に、該連結脚部材の側面部には、前記側板部材に設けられた係合突起又は係合凹部と係合して、該側板部材を支持する被係合凹部又は被係合突起部を有する側板装着部が設けられていることを特徴とする雨水流出抑制装置。
【請求項２】
前記係合突起形成位置裏面側には、積み重ねられた他の側板部材の係合突起を収容する収容凹部が形成されていることを特徴とする請求項１記載の雨水流出抑制装置に用いる側板部材。
【請求項３】
雨水等を一時貯留する貯留部内に充填部材を縦横かつ上下に連設して、貯留空間を形成する雨水流出抑制装置において、
前記充填部材の流水面周縁には、逆流を防止する逆流防止壁が一体に形成されていることを特徴とする雨水流出抑制装置。
【請求項４】
前記充填部材と上下方向に連結される他の充填部材との間に介在される連結脚部材には、下方に凹状連結受口部を形成すると共に、前記充填部材の上面側凸状連結部を突設させて、該凹状連結受口部内に挿入連結した状態で、前記充填部材には、該凹状連結受口部周縁と前記逆流防止壁の一部とを、交差させて当接させるように、前記上面側凸状連結部と連設して該逆流防止壁を延設することを特徴とする請求項３記載の雨水流出抑制装置。
【発明の詳細な説明】
【技術分野】
【０００１】
この発明は、降雨時に、雨水を一時貯留して、浸透又は排水させることにより、河川や下水道施設への負荷を低減させる雨水流出抑制装置で、主に、一般家庭用の比較的小型な雨水流出抑制装置に関するものである。
【背景技術】
【０００２】
従来、図２２及び図２３に示すような充填部材１を縦横且つ上下に連設して、雨水等を一時貯留する貯留部を形成する雨水流出抑制装置が、知られている（例えば、特許文献１等参照）。
【０００３】
まず、構成から説明すると、この従来の雨水流出抑制装置では、地面を掘り下げて、前記貯留部を凹設形成すると共に、雨水等を一時貯留するため、側壁面及び底面が、被覆シートによって周囲が覆われる。
【０００４】
そして、この貯留部内に、縦横かつ上下に図２２に示すような充填部材１…が、複数個連設される。
【０００５】
この充填部材１は、平板状の上面部１ａの下方に複数本の脚部１ｂ…を一体に設けて、上下に隣接配置される他の充填部材１の上面部１ａとの間に、雨水を貯留出来る空間を形成するように構成されている。
【０００６】
更に、この従来の雨水流出抑制装置では、側土圧に対して対抗するため、前記充填部材１の側面を覆う土砂浸入防止板２…が装着される。
【０００７】
この従来の雨水流出抑制装置では、前記充填部材１の上縁部１ｃ側面に、被係合部１ｄ，１ｄが形成されていて、この被係合部１ｄ，１ｄに、上方から前記土砂浸入防止板２の枠体２ａ上縁部から各々一体に突設されたフック２ｂ，２ｂが係止されるよう構成されている。
【０００８】
次に、この従来の雨水流出抑制装置の作用について説明する。
【０００９】
このように構成された従来の雨水流出抑制装置では、降雨により、雨水が、前記複数の充填部材１…によって形成された貯留部内に浸入すると、これらの雨水が、この貯留空間部内に一時的に留まる。
【００１０】
このため、一度に大量の雨が降っても、この雨水流出抑制装置の貯留部空間内に一時貯留されて、河川や下水道施設等の豪雨による急激な増水を緩和することができる。
【００１１】
また、前記充填部材１の側面を覆うように装着された土砂浸入防止板２…が、側土圧を受け止めて、貯留部の前記充填部材１，１間に形成された空間内部への土砂の浸入が防止される。  
【特許文献１】特開２００２−２７５９５２号公報（段落０００９乃至００４１、図３０等）
【発明の開示】
【発明が解決しようとする課題】
【００１２】
しかしながら、このような従来の雨水流出抑制装置では、凹設形成された前記貯留部周
縁の側土と、前記充填部材１との間に、前記土砂浸入防止板２を介装させるため、図２２に示すように、前記充填部材１の上縁部１ｃ側面に形成された被係合部１ｄ，１ｄへ、上方から前記フック２ｂ，２ｂを係止させるようにしている。
【００１３】
このように、前記土砂浸入防止板２の枠体２ａ上縁部から側方に向けてフック２ｂ，２ｂが一体に突設されているため、図２３に示すように、前記積層して載置すると不安定な状態となってしまう。
【００１４】
また、フック２ｂ，２ｂが枠体２ａと重ならないようにずらして積層することも考えられるが、この場合、一枚の土砂浸入防止板２の枠体２ａの外周縁までの面積よりも大きな保存スぺースが必要とされてしまう。このため、製造工場や保存倉庫、若しくは施工現場等のストックヤードでの保管時若しくはトラック等での搬送中に、一定期間、積層させて搬送させる際に、大きな載置スペースが必要となってしまうといった問題もあった。
【００１５】
そこで、この発明は、対土圧性能が良好で、積層させて保存する際に、保存に必要となる空間スペースを増大させることなく、しかも、施工作業性が良好な雨水流出抑制装置を提供することを課題としている。
【課題を解決するための手段】
【００１６】
上記目的を達成するために、請求項１に記載された発明は、雨水等を一時貯留する貯留部内に充填部材を縦横かつ上下に連設し、該充填部材の外側面部を覆う側板部材を設けて貯留空間を形成した雨水流出抑制装置において、前記充填部材と上下方向に連結される他の充填部材との間には、連結脚部材が介在されると共に、該連結脚部材の側面部には、前記側板部材に設けられた係合突起又は係合凹部と係合して、該側板部材を支持する被係合凹部又は被係合突起部を有する側板装着部が設けられている雨水流出抑制装置を特徴としている。
【００１７】
また、請求項２に記載されたものは、前記係合突起形成位置裏面側には、積み重ねられた他の側板部材の係合突起を収容する収容凹部が形成されている請求項１記載の雨水流出抑制装置に用いる側板部材を特徴とする。
【００１８】
更に、請求項３に記載されたものは、雨水等を一時貯留する貯留部内に充填部材を縦横かつ上下に連設して、貯留空間を形成する雨水流出抑制装置において、前記充填部材の流水面周縁には、逆流を防止する逆流防止壁が一体に形成されている雨水流出抑制装置を特徴としている。
【００１９】
また、請求項４に記載されたものは、前記充填部材と上下方向に連結される他の充填部材との間に介在される連結脚部材には、下方に凹状連結受口部を形成すると共に、前記充填部材の上面側凸状連結部を突設させて、該凹状連結受口部内に挿入連結した状態で、前記充填部材には、該凹状連結受口部周縁と前記逆流防止壁の一部とを、交差させて当接させるように、前記上面側凸状連結部と連設して該逆流防止壁を延設する請求項３記載の雨水流出抑制装置を特徴としている。
【発明の効果】
【００２０】
このように構成された本願発明の請求項１記載のものは、予め前記貯留部の側面部に位置するように前記連結脚部材の側面部に、前記側板部材の前記係合突起又は係合凹部と前記側板装着部の被係合凹部又は被係合突起部とを係合させて、該側板部材を装着すると共に、該連結脚部材を、上下方向で前記充填部材と充填部材との間に連設する。
【００２１】
設置状態では、前記貯留部周縁の側土と、前記充填部材との間に、該側板部材が介装さ
れて位置して、前記充填部材の外側面部が覆われる。このため、該側板部材によって、側土圧が受け止められて、前記貯留部の充填部材間に形成された空間内部への土砂の浸入が防止される。  
【００２２】
また、請求項２に記載のものは、前記係合突起形成位置裏面側に形成された収容凹部によって、積み重ねられた他の側板部材の係合突起を収容する。
【００２３】
このため、複数の側板部材を安定させて積層出来、載置スペースも、該側板部材の外周縁までの面積と略同等の面積で良く、スペース効率を良好なものとすることが出来る。
【００２４】
更に、請求項３に記載されたものは、前記充填部材の流水面周縁に一体に形成された逆流防止壁によって、逆流が防止される。
【００２５】
このため、集水効率を更に良好なものとすることが出来ると共に、雨水流れ方向を一定方向とすることにより、雨水に混入した砂礫の集積効率も向上させることが出来、メンテナンス性も良好なものとすることができる。
【００２６】
また、請求項４に記載されたものは、前記逆流防止壁の一部に、前記凹状連結受口部周縁が交差されて当接されているので、該凹状連結受口部周縁が、前記充填部材の上面側凸状連結部に連結される際に、外側に拡開されて落ち込むことが防止される。
【００２７】
このため、上方からの土圧に対しての対土圧性能を良好なものとすることができる。
【発明を実施するための最良の形態】
【００２８】
次に、図面に基づいて、この発明を実施するための最良の実施の形態の雨水流出抑制装置を説明する。
【００２９】
なお、前記従来例と同一乃至均等な部分については同一符号を付して説明する。
【００３０】
図１乃至図２１は、この発明の実施の形態の雨水流出抑制施設及び該雨水流出抑制施設に用いる側板部材を説明するものである。
【００３１】
まず、構成を説明すると、この発明の実施の形態の雨水流出抑制装置１０は、図３に示すように、住宅等、建物が設けられた敷地の地面Ｇが掘り下げられて、雨水等を一時貯留する貯留部Ｆが、凹設形成されて設けられている。
【００３２】
これらの雨水流出抑制装置１０の貯留部Ｆでは、雨水等を一時貯留するため、底面部及び側壁面部に渡り、外周面が図示省略の被覆シートによって覆われていると共に、この貯留部Ｆ内に、複数の充填部材１１…及び１１１が、複数個、縦横かつ上下に連設されて一定容量の空間が形成されている。
【００３３】
この雨水流出抑制装置１０では、前記充填部材１１が、図１及び図１０乃至図１１に示すように、ポリプロピレン等の合成樹脂製材料で構成されていて、水平面に対して、一定の傾斜角度（この実施の形態では、約５度程度）で傾斜する上面視略正方形形状の流水面としての傾斜板部１１ａと、この傾斜板部１１ａの四隅に一体に形成されて、上部に連設される他の充填部材１１…又は、後述する連結脚部材１２，１２等からの上方積載荷重及びこれらの充填部材１１若しくは連結脚部材１２等を介して伝達される上方からの土圧を支持する４本の支持脚柱部１１ｂ，１１ｂ…とを有すると共に、この傾斜板部１１ａ周縁には、逆流を防止する逆流防止壁１１ｃ，１１ｄ，１１ｄ及び１１ｅが一体に形成されている。
【００３４】
なお、図８及び図９に示す充填部材１１１は、この雨水流出抑制施設１０の図３に示されるような点検口１０ａの真下で、略中央に設けられていて、流水面としての傾斜板部１１１ａ，１１１ａの傾斜方向が内側に向けて一定角度で傾斜している他は、前記充填部材１１と略同様であるので、以下、充填部材１１と同一符号を付して説明を省略する。
【００３５】
このうち、前記逆流防止壁１１ｃ，１１ｄ，１１ｄは、図１０，図１１に示すように、前記四隅に一体に形成された４本の支持脚柱部１１ｂ，１１ｂの上縁部間を連設するように各辺の全長に渡り延設されている。
【００３６】
また、前記逆流防止壁１１ｅは、傾斜板部１１ａの下流側に位置する１対の支脚柱部１１ｂ，１１ｂ間に設けられていて、支持脚柱部１１ｂ，１１ｂの下縁部間を連設するように延設されている。
【００３７】
そして、この実施の形態の支持脚柱部１１ｂは、各々略直角二等辺三角形形状を呈していて、下部に凹状連結受口部１１ｆが形成されると共に、上部に上面側の凸状連結部１１ｇが各々突設されて主に構成されている。
【００３８】
また、この実施の形態の前記上下方向に配設される各支持脚柱部１１ｂ，１１ｂ間には、連結脚部材１２…が各々介在されて設けられている。
【００３９】
この連結脚部材１２…には、図１２乃至図１６に示すように、各々略直角二等辺三角形形状を呈していて、各下部に、前記下方に位置する充填部材１１の支持脚柱部１１ｂの上側の凸状連結部１１ｇと嵌着されて連結される凹状連結受口部１２ａが形成されると共に、上部に、前記上方に位置する充填部材１１の支持脚柱部１１ｂの下側の凹状連結受口部１１ｆと嵌着されて連結される凸状連結部１２ｂが突設されている。
【００４０】
そして、前記充填部材１１の上面側に突設された凸状連結部１１ｇが、これらの凹状連結受口部１２ａ内に挿入連結された状態で、前記充填部材１１に連設された前記逆流防止壁１１ｃ，１１ｄ，１１ｄが延設されて、前記上面側の各凸状連結部１１ｇ，１１ｇが連設されることによって、この凹状連結受口部１２ａが、図１０及び図１１中二点鎖線で示すように、上方からの土圧等の荷重によって拡開されても、この凹状連結受口部１２ａ周縁と前記逆流防止壁１１ｃ，１１ｄ，１１ｄの一部１１ｈ…とが、交差されて当接されるように構成されている。
【００４１】
また、この連結脚部材１２の異なる２つの側面部１２ｃ，１２ｃには、前記充填部材１１の外側面部を覆う側板部材１３に設けられた先割れ形状の係合突起１３ａ又は係合凹部１３ｂと係合して、この側板部材１３を支持する被係合凹部１２ｅ及び先割れ形状の被係合突起部１２ｆを有する側板装着部１２ｄが設けられている。
【００４２】
この側板部材１３には、図１７乃至図２１に示すように、平板状の板面部１３ｃの裏面側に、複数の補強リブ部１３ｄ，１３ｅ…が縦横に一体に形成されると共に、長手方向に左右一対となるように突設形成される前記係合突起１３ａ及び開口形成される係合凹部１３ｂが離し置きされて、一体に設けられている。
【００４３】
このうち、前記係合突起１３ａの裏面側である突設方向と反対側には、積み重ねられた他の側板部材１３から突設された係合突起１３ａが収容されるように収容凹部１３ｉが凹設形成されている。
【００４４】
更に、この実施の形態の前記側板部材１３には、外周縁に沿って外周リブ部１３ｆが一
体に形成されていて、この外周リブ部１３ｆに一体となるように略対角線上に一対の位置決め突起部１３ｇ，１３ｇが設けられている。
【００４５】
また、この位置決め突起部１３ｇの裏面側である突設方向と反対側には、積み重ねられた他の側板部材１３から突設された位置決め突起部１３ｇが収容されるように収容凹部１３ｈが凹設形成されている。
【００４６】
そして、この実施の形態の雨水流出抑制装置１０では、図１に示すように、最下部に位置する底面部材２１の四隅に設けられた４本の支持脚柱部２１ｂ，２１ｂ…と、次に載置される充填部材１１の４本の支持脚柱部１１ｂ，１１ｂ…との間には、上下ともに凸状連結部３１ｄ，３１ｄが一対設けられた連結部材３１が各々介在されて連結されている。
【００４７】
更に、この実施の形態の雨水流出抑制装置１０では、最も上部に位置する前記充填部材１１の上方には、前記四隅に設けられる連結脚部材１２…を介在させて、略平板状の天板部材４０…が各々嵌着されてこの雨水流出抑制装置１０上面を覆うように設けられている。
【００４８】
次に、この実施の形態の雨水流出抑制装置及び該雨水流出抑制装置に用いる側板部材の作用について説明する。
【００４９】
まず、この雨水流出抑制装置１０の施工順序に沿って説明すると、この雨水流出抑制装置１０を構築する際、前記貯留部Ｆを地面Ｇに掘削後、遮水シート等が敷設され、この実施の形態では、図３に示すように、この貯留部Ｆの底面部に前記底面部材２１…が設置されると共に，この底面部材２１の上方に前記充填部材１１…及び連結脚部材１２…が交互に連結されて、積層される。
【００５０】
この実施の形態では、前記底面部材２１が、図１に示すような連結部材３１…を介して前記充填部材１１と上下方向に連結されているので、前記凹状連結受口部１２ａと略同一形状の連結部を有する充填部材１１と略同一形状の部材を底面部材２１として用いることができる。
【００５１】
このため、充填部材１１を逆さ向きとして前記底面部材２１として用いることも出来、更に、部品点数を減少させて、製造コストを減少させることができる。
【００５２】
前記連結脚部材１２，１２を装着する際、前記側板部材１３の前記係合突起１３ａ及び係合凹部１３ｂと、この連結脚部材１２，１２に各々形成された前記側板装着部１２ｄの被係合凹部１２ｅ又は被係合突起部１２ｆとを係合させて、この側板部材１３が装着されていれば、前記連結脚部材１２，１２を上方から装着するだけで、凹設形成された前記貯留部Ｆ周縁の側土と、前記充填部材１１との間に、この側板部材１３を介装させることが容易にできる。
【００５３】
このように、前記側板部材１３を介装させながら、図１に示すように、順次、前記充填部材１１…及び連結脚部材１２…を交互に連結して、最も上部に、前記天板部材４０が装着される。
【００５４】
そして、上部を図示省略の防水シート等で覆うと共に、図３に示すように、前記点検口１０ａ，１０ａの上部開口部を一部地表に露出させて、地面Ｇ内に埋め戻すことにより、概略施工が完了する。
【００５５】
このように施工されたこの実施の形態の雨水流出抑制装置１０では、降雨により、雨水
が、前記貯留部Ｆ内に充填部材１１，１１によって空隙として形成された貯留空間内に、前記住宅等及び敷地内から浸入すると、これらの雨水が、この貯留空間内に一時的に留まる。
【００５６】
このため、一度に大量の雨が降っても、この雨水流出抑制装置１０に形成された貯留部Ｆ内に、一定容量を超えるまで一時貯留されて、河川や下水道施設等の豪雨による急激な増水を緩和することができる。
【００５７】
そして、前記各充填部材１１の傾斜板１１ａに設けられた一定の傾斜角度によって、隣接配置された他の充填部材１１から流下する雨水が砂礫と共に、排水口方向に集水される。この際、前記充填部材１１の流水面である傾斜板１１ａ周縁に、一体に形成された逆流防止壁１１ｃ，１１ｄ，１１ｄ及び１１ｅによって、隣接する充填部材１１の傾斜板１１ａ下縁から下方に自然流下する雨水の跳ね返り等による逆流が防止される。
【００５８】
このため、集水効率を更に良好なものとすることが出来ると共に、雨水流れ方向を一定方向とすることにより、雨水に混入した砂礫の集積効率も向上させることが出来、メンテナンス性も良好なものとすることができる。
【００５９】
また、図１０及び図１１に示されるように、前記逆流防止壁１１ｃ，１１ｄの一部１１ｈ，１１ｈに、前記連結脚部材１２の凹状連結受口部１２ａ周縁が交差されて当接されているので、この凹状連結受口部１２ａ周縁が、前記充填部材１１の上面側の凸状連結部１１ｇに外嵌されて連結されていても、外側に拡開されて落ち込むことが防止される。
【００６０】
このため、上方からの土圧に対しての対土圧性能を良好なものとすることができる。
【００６１】
しかも、この実施の形態では、予め前記貯留部Ｆの側面部に位置するように前記連結脚部材１２，１２の側面部１２ｃ，１２ｃに、前記側板部材１３の前記係合突起１３ａ及び係合凹部１３ｂと前記側板装着部１２ｄの被係合凹部１２ｅ及び被係合突起部１２ｆとが係合されて、この側板部材１３が装着されていて、この連結脚部材１２，１２が、上下方向で前記充填部材１１と充填部材１１との間に連設される。
【００６２】
従って、設置状態では、前記貯留部Ｆ周縁の側土と、前記充填部材１１，１１との間に、これらの側板部材１３が介装されて位置して、前記充填部材１１の外側面部が覆われる。このため、これらの側板部材１３…によって、側土圧が受け止められて、前記充填部材１１の左，右一対の支持脚柱部１１ｂ，１１ｂ間や、或いは、左右一対の連結脚部材１２，１２間に形成される開口から、前記貯留部Ｆの充填部材１１間に形成された空間内部への土砂の浸入が防止される。  
【００６３】
更に、この実施の形態では、図１６に示すように、前記各連結脚部材１２…が４枚寄り添う縦柱部では、隣接配置される他の連結脚部材１２と、前記側板部材１３の支持に用いた側板装着部１２ｄの被係合凹部１２ｅと被係合突起部１２ｆとを用いて、水平方向に隣接配置される各充填部材１１，１１間も、連結されているので、上下方向のみならず、縦横方向にも、土圧等の上方積載荷重が分散されて下方の充填部材１１…に伝達される。
【００６４】
このため、局所的な上方積載荷重も、縦柱部から四方に分散されて、前記貯留部Ｆの底面部２ａの略全面に近い広い面積で、受け止められて、想定される様々な上方積載荷重に対して、充分な支持剛性が得られ、地表面の沈没を防止することが出来る。
【００６５】
更に、この実施の形態では、図１９及び図２０に示すように、前記係合突起１３ａが形成されている位置の裏面側に形成された収容凹部１３ｈによって、積み重ねられた他の側
板部材１３の係合突起１３ａが、図２１に示すように収容される。
【００６６】
このため、複数の側板部材１３…を略板面部１３ｃの面積と略同等の載置スペースに、安定させて積層出来る。
【００６７】
更に、この実施の形態では、前記側板部材１３に、外周縁に沿って外周リブ部１３ｆが一体に形成されていて、この外周リブ部１３ｆに一体となるように略対角線上に一対の位置決め突起部１３ｇ，１３ｇが設けられている。
【００６８】
そして、この位置決め突起部１３ｇの裏面側である突設方向と反対側には、積み重ねられた他の側板部材１３から突設された位置決め突起部１３ｇが収容されて、位置決めされ、各側板部材１３…の外周縁位置が、ズレること無く上下方向で一致する。
【００６９】
このように、載置スペースが、これらの側板部材１３の外周縁までの面積と略同等の面積で良いので、製造工場や保存倉庫、若しくは施工現場等のストックヤードでの保管時若しくはトラック等での搬送中に、一定期間、積層させて搬送させる際のスペース効率を良好なものとすることが出来る。
【００７０】
以上、図面を参照して、本発明の実施の形態を詳述してきたが、具体的な構成は、この実施の形態に限らず、本発明の要旨を逸脱しない程度の設計的変更は、本発明に含まれる。
【００７１】
即ち、前記実施の形態では、前記充填部材１１及び側板部材１３が、ポリプロピレン等の合成樹脂製材料で構成されているが、特にこれに限らず、例えば、ポリエチレン、塩化ビニル、ポリエチレンレテフタレート等の合成樹脂製材料で構成されていても、上下方向の充填部材１１，１１に介装されて連結される連結脚部材１２，１２の側面部１２ｃ，１２ｃに装着されるものであれば、形状、数量、及び材質が特に限定されるものではない。
【図面の簡単な説明】
【００７２】
【図１】この発明の最良の実施の形態の雨水流出抑制装置で、充填部材及び連結脚部材が連設される貯留部の構成を説明する分解斜視図である。
【図２】実施の形態の雨水流出抑制装置で、雨水流出抑制装置内の雨水流下方向を白抜き三角印で示す平面図である。
【図３】実施の形態の雨水流出抑制装置で、図２中Ａ−Ａ線に沿った位置での断面図である。
【図４】実施の形態の雨水流出抑制装置で、側板部材が取り外された状態での右側面図である。
【図５】実施の形態の雨水流出抑制装置で、天板部材を装着した状態での平面図である。
【図６】実施の形態の雨水流出抑制装置で、側板部材が装着された状態での側面図である。
【図７】実施の形態の雨水流出抑制装置で、側板部材が装着された状態での右側面図である。
【図８】実施の形態の雨水流出抑制装置に用いられる充填部材の下面図である。
【図９】実施の形態の雨水流出抑制装置に用いられる充填部材を図８中白抜き矢印方向から見た矢視図である。
【図１０】実施の形態の雨水流出抑制装置に用いられる充填部材の上面図である。
【図１１】実施の形態の雨水流出抑制装置に用いられる充填部材の側面図である。
【図１２】実施の形態の雨水流出抑制装置に用いられる連結脚部材の一側面図である。
【図１３】実施の形態の雨水流出抑制装置に用いられる連結脚部材の他側面図である。
【図１４】実施の形態の雨水流出抑制装置に用いられる連結脚部材の下面図である。
【図１５】実施の形態の雨水流出抑制装置に用いられる連結脚部材の上面図である。
【図１６】実施の形態の雨水流出抑制装置の縦柱部を、連結脚部材を４個連結して構成する様子を説明する斜視図である。
【図１７】実施の形態の雨水流出抑制装置に用いられる側板部材を背面側から見た平面図である。
【図１８】実施の形態の雨水流出抑制装置に用いられる側板部材で、図１７中Ｂ−Ｂ線に沿った位置での断面図である。
【図１９】実施の形態の雨水流出抑制装置に用いられる側板部材で、図１７中Ｃ−Ｃ線に沿った位置での断面図である。
【図２０】実施の形態の雨水流出抑制装置に用いられる側板部材で、図１７中Ｄ−Ｄ線に沿った位置での断面図である。
【図２１】実施の形態の雨水流出抑制施設に用いられる側板部材を積層して載置した様子を示し、図２０に相当する部分での断面図である。
【図２２】従来例の雨水流出抑制装置に用いられる充填部材と土砂浸入防止板との取付構造を説明する分解斜視図である。
【図２３】従来例の雨水流出抑制装置に用いられる土砂浸入防止板を積層してストックする様子の一例を示す側面図である。
【符号の説明】
【００７３】
１０          雨水流出抑制装置
１１          充填部材
１１ａ        傾斜板部（流水面）
１１ｃ，１１ｄ，１１ｅ
逆流防止壁
１１ｆ        凹状連結受口部
１１ｇ        凸状連結部
１２          連結脚部材
１２ａ        凹状連結受口部
１２ｂ        凸状連結受口部
１２ｃ        側面部
１２ｄ        側板装着部
１２ｅ        被係合凹部
１２ｆ        被係合突起部
１３          側板部材
１３ａ        係合突起
１３ｂ        係合凹部
１３ｈ        収納凹部
Ｇ            地面
Ｆ            貯留部
【図１】
2006241701.tif 000003
【図２】
2006241701.tif 000004
【図３】
2006241701.tif 000005
【図４】
2006241701.tif 000006
【図５】
2006241701.tif 000007
【図６】
2006241701.tif 000008
【図７】
2006241701.tif 000009
【図８】
2006241701.tif 000010
【図９】
2006241701.tif 000011
【図１０】
2006241701.tif 000012
【図１１】
2006241701.tif 000013
【図１２】
2006241701.tif 000014
【図１３】
2006241701.tif 000015
【図１４】
2006241701.tif 000016
【図１５】
2006241701.tif 000017
【図１６】
2006241701.tif 000018
【図１７】
2006241701.tif 000019
【図１８】
2006241701.tif 000020
【図１９】
2006241701.tif 000021
【図２０】
2006241701.tif 000022
【図２１】
2006241701.tif 000023
【図２２】
2006241701.tif 000024
【図２３】
2006241701.tif 000025